(57)【要約】【課題】シェアモードタイプのインクジェットヘッドの浮遊容量に起因するノイズ電流や無駄な消費電力を削減する。【解決手段】圧電材料からなる隔壁によって隔てられて並設された複数のインク室の壁面にそれぞれ配設される電極をハイインピーダンス状態とする制御手段を設ける。そして、隣り合う隔壁によって隔てられて並設された少なくとも３つのインク室の電極に同電位を印加するタイミングになると、制御手段は、両側に位置するインク室以外のインク室の電極をハイインピーダンス状態とする。【選択図】      図１７
2014113783.tif 000002
【特許請求の範囲】
【請求項１】
圧電材料からなる隔壁によって隔てられて並設された複数のインク室の壁面にそれぞれ電極を配設し、隣接する２つのインク室の前記電極に電位差を与えて当該電極によって挟まれた前記隔壁を変形させ、この変形した隔壁を壁面とする前記インク室に連通したノズルからインクを吐出させるインクジェットヘッドの駆動装置において、
前記電極をハイインピーダンス状態とする制御手段、を設け、
隣り合う前記隔壁によって隔てられて並設された少なくとも３つの前記インク室の前記電極に同電位を印加するタイミングになると、前記制御手段は、両側に位置するインク室以外のインク室の電極をハイインピーダンス状態とすることを特徴とするインクジェットヘッドの駆動装置。
【請求項２】
前記制御手段は、前記両側に位置するインク室以外のインク室の中にインク吐出は行わないが補助駆動を行うインク室が含まれるとき、この補助駆動を行うインク室の電極に対しては前記同電位を印加することを特徴とする請求項１記載のインクジェットヘッドの駆動装置。
【請求項３】
圧電材料からなる隔壁によって隔てられて並設された複数のインク室の壁面にそれぞれ電極を配設し、隣接する２つのインク室の前記電極に電位差を与えて当該電極によって挟まれた前記隔壁を変形させ、この変形した隔壁を壁面とする前記インク室に連通したノズルからインクを吐出させるインクジェットヘッドの駆動装置において、
前記電極をハイインピーダンス状態とする制御手段、を設け、
隣接する２つのインク室の前記電極に電位差が与えられると、前記制御手段は、前記電位差が保たれる区間内に、前記電極を一時的にハイインピーダンス状態とすることを特徴とするインクジェットヘッドの駆動装置。
【請求項４】
圧電材料からなる隔壁によって隔てられて並設された複数のインク室の壁面にそれぞれ電極を配設し、隣接する２つのインク室の前記電極に電位差を与えて当該電極によって挟まれた前記隔壁を変形させ、この変形した隔壁を壁面とする前記インク室に連通したノズルからインクを吐出させるインクジェットヘッドの駆動装置において、
前記電極をハイインピーダンス状態とする制御手段、を設け、
隣接する２つのインク室が同時にスイッチング動作するとき、前記制御手段は、前記スイチッング動作の直前に少なくとも一方のインク室の電極をハイインピーダンス状態とすることを特徴とするインクジェットヘッドの駆動装置。
【請求項５】
圧電材料からなる隔壁によって隔てられて並設された複数のインク室の壁面にそれぞれ電極を配設し、隣接する２つのインク室の前記電極に電位差を与えて当該電極によって挟まれた前記隔壁を変形させ、この変形した隔壁を壁面とする前記インク室に連通したノズルからインクを吐出させるインクジェットヘッドの駆動方法であって、
隣り合う前記隔壁によって隔てられて並設された少なくとも３つの前記インク室の前記電極に同電位を印加するタイミングになると、両側に位置するインク室以外のインク室の電極をハイインピーダンス状態とすることを特徴とするインクジェットヘッドの駆動方法。
【請求項６】
前記両側に位置するインク室以外のインク室の中にインク吐出は行わないが補助駆動を行うインク室が含まれるとき、この補助駆動を行うインク室の電極に対しては前記同電位を印加することを特徴とする請求項５記載のインクジェットヘッドの駆動方法。
【請求項７】
圧電材料からなる隔壁によって隔てられて並設された複数のインク室の壁面にそれぞれ電極を配設し、隣接する２つのインク室の前記電極に電位差を与えて当該電極によって挟まれた前記隔壁を変形させ、この変形した隔壁を壁面とする前記インク室に連通したノズルからインクを吐出させるインクジェットヘッドの駆動方法であって、
隣接する２つのインク室の前記電極に電位差が与えられると、前記電位差が保たれる区間内に、前記電極を一時的にハイインピーダンス状態とすることを特徴とするインクジェットヘッドの駆動方法。
【請求項８】
圧電材料からなる隔壁によって隔てられて並設された複数のインク室の壁面にそれぞれ電極を配設し、隣接する２つのインク室の前記電極に電位差を与えて当該電極によって挟まれた前記隔壁を変形させ、この変形した隔壁を壁面とする前記インク室に連通したノズルからインクを吐出させるインクジェットヘッドの駆動方法であって、
隣接する２つのインク室が同時にスイッチング動作するとき、前記スイチッング動作の直前に少なくとも一方のインク室の電極をハイインピーダンス状態とすることを特徴とするインクジェットヘッドの駆動方法。
【発明の詳細な説明】
【技術分野】
【０００１】
本発明の実施形態は、隣接するインク室とアクチュエータを共有するインクジェットヘッドの駆動装置及び駆動方法に関する。
【背景技術】
【０００２】
インクジェットヘッドには、隣接するインク室とアクチュエータを共有するタイプがある。このようなインクジェットヘッドは、シェアモードタイプと称される。この種のインクジェットヘッドでは、並設された複数のインク室がｎ（ｎは２以上）個おきの（ｎ＋１）組に分割される。駆動装置は、組毎に駆動する位相を変えて、同一組内の各インク室を選択的に駆動する。インク室が駆動された場合、そのインク室に連通したノズルからインク滴が吐出される。
【０００３】
駆動されるインク室Ａに隣接するインク室Ｂは駆動されない。ただし、インク室Ｂでは、インク室Ａとの間を隔てる片側の隔壁が変形する。このとき、反対側の隔壁も変形した場合、インク室Ｂに連通するノズルからインク滴が誤吐出される可能性がある。このため、インク室Ｂの反対側の隔壁が変形しないように、駆動装置は、この反対側の隔壁をアクチュエータとして共有するインク室Ｃをインク室Ｂと同電位で同時駆動させる。また、駆動されるインク室Ａであってもインクを吐出しない場合には、インク室Ａの両端の隔壁が変形しないように両隣のインク室Ｂと同電位にて同時駆動させる必要がある。このため、インク室Ａが全てインクを吐出しない場合には、全てのインク室が同電位にて同時駆動される事象が起こり得る。
【０００４】
シェアモードタイプのインクジェットヘッドは、圧電材料からなる隔壁で隔てられた複数のインク室を並設する。各インク室の壁面にはそれぞれ電極が配設される。このため電気的に見ると、インクジェットヘッドは、コンデンサの直列回路と等価になる。このような回路では、直列に接続されたコンデンサ間に浮遊容量が生じる。浮遊容量は、コンデンサを挟んで両端に同電位の電圧が同時に印加された場合に充電または放電する。この浮遊容量の充電または放電によりヘッドにノイズ電流が発生し、無駄に電力を消費する。
【先行技術文献】
【特許文献】
【０００５】
【特許文献１】特開２００１−１００４３号公報
【発明の概要】
【発明が解決しようとする課題】
【０００６】
本発明が解決しようとする課題は、浮遊容量に起因するノイズ電流や無駄な消費電力を削減できるインクジェットヘッドの駆動装置及び駆動方法を提供しようとするものである。
【課題を解決するための手段】
【０００７】
一実施形態において、インクジェットヘッドの駆動装置は、圧電材料からなる隔壁によって隔てられて並設された複数のインク室の壁面にそれぞれ電極を配設し、隣接する２つのインク室の電極に電位差を与えて当該電極によって挟まれた隔壁を変形させ、この変形した隔壁を壁面とするインク室に連通したノズルからインクを吐出させるインクジェットヘッドの駆動装置であって、電極をハイインピーダンス状態とする制御手段を設ける。そして、隣り合う隔壁によって隔てられて並設された少なくとも３つのインク室の電極に同電位を印加するタイミングになると、制御手段は、両側に位置するインク室以外のインク室の電極をハイインピーダンス状態とするようにしたものである。
【０００８】
また、一実施形態において、同インクジェットヘッドの駆動方法は、隣り合う隔壁によって隔てられて並設された少なくとも３つのインク室の電極に同電位を印加するタイミングになると、両側に位置するインク室以外のインク室の電極をハイインピーダンス状態とするようにしたものである。
【図面の簡単な説明】
【０００９】
【図１】ライン型インクジェットヘッドの一部を分解して示す斜視図。
【図２】ライン型インクジェットヘッドの前方部における横断面図。
【図３】ライン型インクジェットヘッドの前方部における縦断面図。
【図４】ライン型インクジェットヘッドの動作原理を説明するための図。
【図５】ライン型インクジェットヘッドを３分割駆動する際のインク室の状態と駆動パルス電圧との関係の一例を示す模式図。
【図６】ライン型インクジェットヘッドを３分割駆動する際のインク室の状態と駆動パルス電圧との関係の他の例を示す模式図。
【図７】第１の実施形態で使用するコンデンサの物理的性質を説明するための回路図。
【図８】第１の実施形態において、ライン型インクジェットヘッドを３分割駆動する際のインク室の状態と駆動パルス電圧との関係の一例を示す模式図。
【図９】ライン型インクジェットヘッドの等価回路と印加電圧パターンの一例を示す図。
【図１０】ライン型インクジェットヘッドの等価回路と印加電圧パターンの他の例を示す図。
【図１１】ライン型インクジェットヘッド駆動装置の概略構成を示すブロック図。
【図１２】制御スイッチの回路図。
【図１３】ロジック回路の動作説明に用いる真理値表を示す図。
【図１４】パターンジェネレータの構成を示すブロック図。
【図１５】パターンジェネレータを構成するレジスタ群のなかの主要なレジスタに設定されるコード体系の一例を示す模式図。
【図１６】図１５に示すコード体系から生成される駆動パルスのタイミング図。
【図１７】図１５に示すコード体系から生成される駆動パルスのタイミング図。
【図１８】第２の実施形態で使用するコンデンサの物理的性質を説明するための回路図。
【図１９】第２の実施形態において、吐出当該波形設定レジスタ及び吐出両隣波形設定レジスタに設定される電位コードと、Ｈｉ−Ｚ設定レジスタに設定されるＨｉ−Ｚ指定コードとの一例を示す模式図。
【図２０】図１９に示すコード体系から生成される駆動パルスのタイミング図。
【図２１】第３の実施形態においてパターンジェネレータを構成するレジスタ群のなかの主要なレジスタに設定されるコード体系の一例を示す模式図とそのコード体系から生成される駆動パルスのタイミング図。
【発明を実施するための形態】
【００１０】
以下、インクジェットヘッドの駆動装置及び駆動方法の実施形態について、図面を用いて説明する。  
なお、この実施形態は、シェアモードタイプのライン型インクジェットヘッド１００に適用した場合である。
【００１１】
［第１の実施形態］
はじめに、ライン型インクジェットヘッド１００（以下、ヘッド１００と略称する）の構成について、図１乃至図３を用いて説明する。図１は、ヘッド１００の一部を分解して示す斜視図、図２は、ヘッド１００の前方部における横断面図、図３は、ヘッド１００の前方部における縦断面図である。
【００１２】
ヘッド１００は、ベース基板９を有する。そして、ベース基板９の前方側の上面に第１の圧電部材１が接合され、この第１の圧電部材１の上に第２の圧電部材２が接合される。第１の圧電部材１と第２の圧電部材２とは、図２の矢印で示すように、板厚方向に沿って互いに相反する方向に分極して接合される。そして、この接合された圧電部材１，２の先端側から後端側に向けて、多数の長尺な溝３が設けられる。各溝３は、間隔が一定でありかつ平行である。各溝３は、先端が開口し、後端が上方に傾斜する。
【００１３】
各溝３の側壁及び底面には、電極４が設けられる。さらに、各溝３の後端から第２の圧電部材２の後部上面に向けて、前記電極４から引出し電極１０が延出される。  
各溝３の上部は天板６で塞がれる。天板６の内側後方には、共通インク室５が備えられる。
【００１４】
各溝３の先端は、オリフィスプレート７で塞がれる。天板６とオリフィスプレート７とで囲まれた各溝３によって、インクが貯留するインク室１５が形成される。インク室１５は、圧力室とも称される。オリフィスプレート７の各溝３と対向する位置には、ノズル８が穿設される。各ノズル８は、対向する溝３つまりはインク室１５と連通する。
【００１５】
ベース基板９の後方側の上面には、導電パターン１３が形成されたプリント基板１１が接合される。そして、このプリント基板１１の上に、駆動手段であるヘッド駆動部を内蔵したドライブＩＣ１２が搭載される。ドライブＩＣ１２は、導電パターン１３に接続される。導電パターン１３は、各引出し電極１０とワイヤボンディングにより導線１４で結合される。
【００１６】
次に、上記の如く構成されたヘッド１００の動作原理について、図４を用いて説明する。  
図４の（ａ）は、中央のインク室１５ａと、このインク室１５ａに隣接する両隣のインク室１５ｂ，１５ｃとの各壁面にそれぞれ配設された電極４の電位がいずれもグランド電圧ＶＳＳである状態を示している。この状態では、インク室１５ａとインク室１５ｂとで挟まれた隔壁１６ａ及びインク室１５ａとインク室１５ｃとで挟まれた隔壁１６ｂは、いずれも何ら歪み作用を受けない。
【００１７】
図４の（ｂ）は、中央のインク室１５ａの電極４に負電圧−ＶＡＡが印加され、両隣のインク室１５ｂ，１５ｃの電極４に正電圧＋ＶＡＡが印加された状態を示している。この状態では、各隔壁１６ａ，１６ｂに対して、圧電部材１，２の分極方向と直交する方向に電界が作用する。この作用により、各隔壁１６ａ，１６ｂは、インク室１５ａの容積を拡大するようにそれぞれ外側に変形する。
【００１８】
図４の（ｃ）は、中央のインク室１５ａの電極４に正電圧＋ＶＡＡが印加され、両隣のインク室１５ｂ，１５ｃの電極４に負電圧−ＶＡＡが印加された状態を示している。この状態では、各隔壁１６ａ，１６ｂに対して、図４（ｂ）のときとは逆の方向に電界が作用する。この作用により、各隔壁１６ａ，１６ｂは、インク室１５ａの容積を縮小するようにそれぞれ内側に変形する。
【００１９】
インク室１５ａの容積が拡大または縮小された場合、インク室１５ａ内に圧力振動が発生する。この圧力振動により、インク室１５ａ内の圧力が高まり、インク室１５ａに連通するノズル８からインク滴が吐出される。
【００２０】
このように、各インク室１５ａ，１５ｂ，１５ｃを隔てる隔壁１６ａ，１６ｂは、当該隔壁１６ａ，１６ｂを壁面とするインク室１５ａの内部に圧力振動を与えるためのアクチュエータとなる。したがって、各インク室１５は、それぞれ隣接するインク室１５とアクチュエータを共有する。このため、ヘッド１００の駆動装置は、各インク室１５を個別に駆動することができない。駆動装置は、各インク室１５をｎ（ｎは２以上の整数）個おきに（ｎ＋１）個のグループに分割して駆動する。本実施形態では、駆動装置が、各インク室１５を２つおきに３つの組に分けて分割駆動する、いわゆる３分割駆動の場合を例示する。なお、３分割駆動はあくまでも一例であり、４分割駆動または５分割駆動などであってもよい。
【００２１】
ヘッド１００を３分割駆動する際の各インク室１５の状態の変化と、その状態の変化に合わせて各インク室１５の電極４に印加される駆動パルス電圧との関係を、図５及び図６を用いて説明する。なお、図中ノズルＮｏ．ｉ（ｉ＝０〜８）は、対応するインク室１５にそれぞれ連通するノズル８に対して割当てられる固有の番号である。本実施形態では、オリフィスプレート７の外側から見て左から順番に各ノズル８に対してノズルＮｏ．ｉ＝０，１，２，３…が付されている。以下では、説明の便宜上、ノズルＮｏ．ｉが付されたノズル８を符号８-iで表わし、このノズル８-iに連通するインク室１５を符号１５-iで表わす。また、インク室１５-(i-1)とインク室１５-iとを隔てる隔壁を符号１６-(i-1)iで表わす。
【００２２】
図５，図６においては、ノズルＮｏ．ｉ＝０、３、６の各ノズル８-0、８-3、８-6にそれぞれ連通するインク室１５-0、１５-3、１５-6が同じ組であり、ノズルＮｏ．ｉ＝１、４、７の各ノズル８-1、８-4、８-7にそれぞれ連通するインク室１５-1、１５-4、１５-7が同じ組であり、ノズルＮｏ．ｉ＝２、５、８の各ノズル８-2、８-5、８-8にそれぞれ連通するインク室１５-2、１５-5、１５-8が同じ組である。
【００２３】
図５は、ノズルＮｏ．ｉ＝１、４、７の各ノズル８-1、８-4、８-7からインクを吐出させる場合を示す。この場合、各インク室１５-0〜１５-8は、定常状態、引き込み状態、定常状態、圧縮状態、定常状態の順に変化する。
【００２４】
定常状態では、駆動装置は、各インク室１５-0〜１５-8の電極４をグランド電圧ＶＳＳとする。引き込み状態では、駆動装置は、インク吐出対象のインク室１５-1、１５-4、１５-7の各電極４に負電圧−ＶＡＡを印加し、当該インク室１５-1、１５-4、１５-7の両隣に配置される各インク室１５-0、１５-2、１５-3、１５-5、１５-6、１５-8の各電極に正電圧＋ＶＡＡを印加する。すなわち、図４の（ｂ）に示すパターンとする。逆に、圧縮状態では、駆動装置は、インク室１５-1、１５-4、１５-7の各電極４に正電圧＋ＶＡＡを印加し、インク室１５-0、１５-2、１５-3、１５-5、１５-6、１５-8の各電極４に負電圧−ＶＡＡを印加する。すなわち、図４の（ｃ）に示すパターンとする。図５に示す各インク室１５-0〜１５-8の状態変化により、ノズル８-1、８-4、８-7からインク滴が吐出される。
【００２５】
図６は、ノズルＮｏ．ｉ＝１、７の各ノズル８-1、８-7からインクを吐出させ、ノズルＮｏ．ｉ＝１、７と同じ組のノズルＮｏ．＝４のノズル８-4に連通するインク室１５-4は、インク室１５-1及びインク室１５-7の圧力振動を吸収するための補助動作を行う場合を示す。この場合、各インク室１５-0〜１５-8は、定常状態、引き込み状態、定常状態、第１の圧縮状態、第２の圧縮状態、定常状態の順に変化する。
【００２６】
定常状態では、駆動装置は、各インク室１５-0〜１５-8の電極４をグランド電圧ＶＳＳとする。引き込み状態では、駆動装置は、インク吐出対象のインク室１５-1及びインク室１５-7の各電極４に負電圧−ＶＡＡを印加し、その両隣に配置されるインク室１５-0、１５-2及びインク室１５-6、１５-8の電極４に正電圧＋ＶＡＡを印加する。このような駆動パルス電圧の制御により、インク室１５-1及びインク室１５-7の容積が拡張される。
【００２７】
ここで、インク室１５-1に隣接するインク室１５-2では、インク室１５-1側の隔壁１６-12が変形するため、インク滴を誤吐出する可能性がある。そこで、インク室１５-3側の隔壁１６-23が変形しないように、駆動装置は駆動パルス電圧を制御する。すなわち駆動装置は、インク室１５-3の電極４にも、インク室１５-2の電極４と同電位の電圧、つまり正電圧＋ＶＡＡを印加する。インク室１５-2の電極４がインク室１５-3の電極４と同電位になることにより、インク室１５-2とインク室１５-3とで挟まれた隔壁１６-23は変形しない。
【００２８】
同様の理由から、駆動装置は、インク室１５-6に隣接するインク室１５-5の電極４にも正電圧＋ＶＡＡを印加する。その結果、補助動作を行うインク室１５-4の両側に配置されたインク室１５-3，１５の電極は、正電圧＋ＶＡＡとなる。したがって駆動装置は、インク室１５-4の両側の隔壁１６-34，１６-45が変形しないように、インク室１５-4の電極にも正電圧＋ＶＡＡを印加する。
【００２９】
第１の圧縮状態では、駆動装置は、インク室１５-1及びインク室１５-7の電極４に正電圧ＶＡＡを印加し、その両隣に配置されたインク室１５-0、１５-2及びインク室１５-6、１５-8の電極４に負電圧−ＶＡＡを印加する。また、前述した誤吐出を防止する見地から、駆動装置は、補助動作を行うインク室１５-4とその両隣のインク室１５-3、１５-5の電極４にも負電圧−ＶＡＡを印加する。
【００３０】
第２の圧縮状態では、駆動装置は、補助動作を行うインク室１５-4の電極４に正電圧＋ＶＡＡを印加する。インク室１５-4の電極４に正電圧ＶＡＡが印加された場合、当該インク室１５-4の両側の隔壁１６-34，１６-45にそれぞれ配設された電極４に電位差が生じて、両隔壁１６-34，１６-45が当該インク室１５-4を圧縮する方向に変形する。この変形により、インク室１５-1及びインク室１５-7で発生した圧力振動が吸収される。
【００３１】
図５に示したように、インク吐出対象のインク室１５-1、１５-4、１５-7の両隣にそれぞれ位置するインク室１５-0、１５-2、１５-3、１５-5、１５-6、１５-8では、電極４に印加される駆動パルス電圧のパターンが同じである。また、図６に示したように、補助動作を行うインク室１５-4の両隣に位置するインク室１５-3、１５-5でも、電極４に印加される駆動パルス電圧のパターンは同じである。このため、ヘッド１００に対する駆動パルス電圧の制御シーケンスのなかで、隣り合う隔壁によって隔てられて並設された少なくとも３つのインク室１５の電極が同電位になることはしばしばある。
【００３２】
前述したように、シェアモードタイプのヘッド１００は、電気的に見るとコンデンサが直列に接続された回路と等価であり、浮遊容量を有している。このため、並設された少なくとも３つのインク室１５の電極が同電位になると、ヘッド１００にノイズ電流が発生して無駄に電力を消費する。このような不具合を防止するために、本実施形態では、図７を用いて説明されるコンデンサの物理的性質を利用する。
【００３３】
図７は、コンデンサＣ１，Ｃ２の直列回路を示している。なお、同図において符号Ｃｆは、浮遊容量を表わしている。この直列回路において、コンデンサＣ１とコンデンサＣ２との間は、ハイインピーダンス（Ｈｉ−Ｚ）状態になっている。この状態で、直列回路の両端に同電位の電圧（図７では正電圧＋ＶＡＡ）が同時に印加された場合、コンデンサＣ１とコンデンサＣ２との間に印加電圧と同電位（図７では正電圧＋ＶＡＡ）の誘導電圧が発生する。すなわちコンデンサの直列回路は、回路の両端に同電位の電圧を同時に印加した場合、コンデンサ間に印加電圧と同電位の誘導電圧が発生するという性質がある。
【００３４】
そこで駆動装置は、隔壁を挟んで並設された少なくとも３つのインク室１５-(i-1)、１５-i、１５-(i+1)のうち、内側に位置するインク室１５-iの電極４をハイインピーダンス状態とする。そして駆動装置は、両側に位置するインク室１５-(i-1)、１５-(i+1)の電極４に同電位の電圧を同時に印加する。そうすると、内側に位置するインク室１５-iの電極４にも同電位の電圧が誘導される。その結果、並設された少なくとも３つのインク室１５-(i-1)、１５-i、１５-(i+1)の各電極４の電位が等しくなる。
【００３５】
ここで、インク室１５-iに配設された電極４の電位は誘導電圧によるものであり、電極４に駆動パルス電圧は印加されない。したがって、浮遊容量に起因するノイズ電流や無駄な消費電力は発生しない。
【００３６】
図８は、図６に示した駆動パルス電圧のパターンに上記物理的性質を適用した具体例である。図６に示したように、補助動作を行うインク室１５-4を中心に並設された５つのインク室１５-2〜１５-6では、引き込み状態から第１の圧縮状態まで各電極４に印加される駆動パルス電圧のパターンは共通である。そこで図８に示すように、５つのインク室１５-2〜１５-6のうち両側に位置するインク室１５-2，１５-6を除いた３つのインク室１５-3〜１５-5に対しては、制御手段により、引き込み状態から第１の圧縮状態まで電極４をハイインピーダンス状態とする。
【００３７】
駆動装置は、引き込み状態のタイミングになると、両側に位置するインク室１５-2、１５-6の電極４に正電圧＋ＶＡＡを印加する。そうすると、図９の等価回路図に示すパターンＰ１のように、内側に位置するインク室１５-3〜１５-5の電極４に正電圧＋ＶＡＡが誘導される。その結果、インク室１５-2〜１５-6にそれぞれ配設された電極の電圧パターンは、引き込み状態の電圧パターンと一致する。
【００３８】
その後、定常状態のタイミングになると、駆動装置は、両端に位置するインク室１５-2、１５-6の電極４をグランド電圧ＶＳＳとする。そうすると、パターンＰ２のように、内側に位置するインク室１５-3〜１５-5の電極４もグランド電圧ＶＳＳとなる。その結果、各電極の電圧パターンは、定常状態の電圧パターンと一致する。
【００３９】
その後、第１の圧縮状態のタイミングになると、駆動装置は、両端に位置するインク室１５-2、１５-6の電極４に負電圧−ＶＡＡを印加する。そうすると、パターンＰ３のように、内側に位置するインク室１５-3〜１５-5の電極４に負電圧−ＶＡＡが誘導される。その結果、各電極４の電圧パターンは、第１の圧縮状態の電圧パターンと一致する。
【００４０】
このように、引き込み状態から第１の圧縮状態までの区間において、補助動作をするインク室１５-4とその両隣のインク室１５-3，１５-5の各電極４をハイインピーダンス状態に制御しても、各インク室１５-3、１５-４、１５-5の電極４には、図６と同様のパターンで電圧が誘導される。したがって、インク吐出動作に影響を及ぼすことはない。
【００４１】
なお、図９では引き込み状態後の定常状態の際にも、内側に位置するインク室１５-3〜１５-5の電極４をハイインピーダンス状態としたが、定常状態の際にはハイインピーダンス状態とせず、グランド電圧ＶＳＳとなるように電圧パターンを制御してもよい。
【００４２】
また、図１０に示すように、内側に位置するインク室１５-3〜１５-5のうち、補助動作を行うインク室１５-4に対しては電極４をハイインピーダンス状態とせず、その両側に隣接するインク室１５-3，１５-5の電極４だけをハイインピーダンス状態としてもよい。こうすることにより、インク室１５-3の電極４に対しては、その両隣に位置するインク室１５-2，１５-4に印加された電圧が誘導され、インク室１５-5の電極４に対しては、その両隣に位置するインク室１５-4，１５-6に印加された電圧が誘導される。したがって、並設された５つのインク室１５-2〜１５-6の各電極４の電位は確実に等しくなる。
【００４３】
図１１は、ヘッド１００の駆動装置を示すブロック図である。駆動装置は、スイッチ回路２００と、ロジック回路３００と、パターンジェネレータ４００とを含む。
【００４４】
スイッチ回路２００は、ヘッド１００のノズルＮｏ．０〜ｎ（ｎ≧１）までの全てのノズル８-0〜８-nにそれぞれ対応した（ｎ＋１）個の制御スイッチＳＷｘ（ｘ＝０〜ｎ）を備える。このスイッチ回路２００には、図示しない電源回路から、正電圧＋ＶＡＡ、負電圧−ＶＡＡ、グランド電圧ＶＳＳ及び共通電圧ＬＶＣＯＮが供給される。またスイッチ回路２００には、ロジック回路３００から、制御スイッチＳＷｘ別の制御信号Ｎｏ．ｘＳＷ（ｘ＝０〜ｎ）が入力される。なお、共通電圧ＬＮＣＯＮは、正電圧＋ＶＡＡ、負電圧−ＶＡＡ及びグランド電圧ＶＳＳのなかから選択され、全ての制御スイッチＳＷｘに対して共通に印加される。
【００４５】
図１２は、制御スイッチＳＷｘの回路図である。制御スイッチＳＷｘは、ヘッド１００への出力端子Ｎｏ．ｘに、正電圧接点［＋］、負電圧接点［−］、グランド接点［Ｇ］及び共通電圧接点［Ｌ］の各出力端を接続する。正電圧接点［＋］の入力端は、正電圧＋ＶＡＡの端子に接続される。負電圧接点［−］の入力端は、負電圧−ＶＡＡの端子に接続される。グランド接点［Ｇ］の入力端は、グランド電圧ＶＳＳの端子に接続される。共通電圧接点［Ｌ］の入力端は、共通電圧ＬＶＣＯＮの端子（不図示）に接続される。正電圧接点［＋］は、正電圧パルス信号ＰＶｘがオンしている間、入力端と出力端とを接続する。負電圧接点［−］は、負電圧パルス信号ＭＶｘがオンしている間、入力端と出力端とを接続する。グランド接点［Ｇ］は、グランド信号Ｇｘがオンしている間、入力端と出力端とを接続する。共通電圧接点［Ｌ］は、共通電圧信号ＬＶｘがオンしている間、入力端と出力端とを接続する。上記正電圧パルス信号ＰＶｘ、負電圧パルス信号ＭＶｘ、グランド信号Ｇｘ及び共通電圧信号ＬＶｘは、ロジック回路３００から入力される制御信号Ｎｏ．ｘＳＷに含まれる。
【００４６】
ロジック回路３００は、外部機器から供給される印刷データに従い、１印字ライン毎に、各制御スイッチＳＷｘの状態を設定する。そして各制御スイッチＳＷｘが設定された状態となるように、ロジック回路３００は、制御スイッチＳＷｘ別の制御信号Ｎｏ．ｘＳＷを生成する。ロジック回路３００は、クロック／リセット信号により各インク室１５が３分割駆動されるように出力タイミングを調整しつつ、各制御信号Ｎｏ．ｘＳＷをスイッチ回路２００に出力する。
【００４７】
ロジック回路３００には、パターンジェネレータ４００からＡＣＴ信号、ＩＮＡ信号、ＮＥＧ信号、ＮＥＧＩＮＡ信号、ＢＳＴ信号及びＢＳＴＩＮＡ信号が入力される。ＡＣＴ信号は、分割駆動によってインク滴を吐出するノズル（以下、吐出当該ノズルと称する）に連通するインク室１５の電極４に印加される駆動パルスの電圧信号である。ＩＮＡ信号は、前記吐出当該ノズルの両隣に隣接するノズル（以下、吐出両隣ノズルと称する）に連通するインク室１５の電極４に印加される駆動パルスの電圧信号である。ＮＥＧ信号は、分割駆動の際にインク滴を吐出しないノズル（以下、非吐出当該ノズルと称する）に連通するインク室１５の電極４に印加される駆動パルスの電圧信号である。ＮＥＧＩＮＡ信号は、前記非吐出当該ノズルの両隣に隣接するノズル（以下、非吐出両隣ノズルと称する）に連通するインク室１５の電極４に印加される駆動パルスの電圧信号である。ＢＳＴ信号は、分割駆動の際に補助動作を行うノズル（以下、補助当該ノズルと称する）に連通するインク室１５の電極４に印加される駆動パルスの電圧信号である。ＢＳＴＩＮＡ信号は、前記補助当該ノズルの両隣に隣接するノズル（以下、補助両隣ノズルと称する）に連通するインク室１５の電極４に印加される駆動パルスの電圧信号である。
【００４８】
吐出当該ノズルに対応した制御スイッチＳＷｘに対する制御信号Ｎｏ．ｘＳＷは、ＡＣＴ信号によって生成される。吐出両隣ノズルに対応した制御スイッチＳＷｘに対する制御信号Ｎｏ．ｘＳＷは、ＩＮＡ信号によって生成される。非吐出当該ノズルに対応した制御スイッチＳＷｘに対する制御信号Ｎｏ．ｘＳＷは、ＮＥＧ信号によって生成される。非吐出両隣ノズルに対応した制御スイッチＳＷｘに対する制御信号Ｎｏ．ｘＳＷは、ＮＥＧＩＮＧ信号によって生成される。補助当該ノズルに対応した制御スイッチＳＷｘに対する制御信号Ｎｏ．ｘＳＷは、ＢＳＴ信号によって生成される。補助両隣ノズルに対応した制御スイッチＳＷｘに対する制御信号Ｎｏ．ｘＳＷは、ＢＳＴＩＮＡ信号によって生成される。
【００４９】
駆動パルス電圧を時系列に表わすコードは、図１３に示す真理値表５００の左側に記述されているように、２ビットの電位コードと、１ビットのハイインピーダンス指定コード（以下、Ｈｉ−Ｚ指定コードと略称する）とを含む。
【００５０】
ロジック回路３００は、上記真理値表５００に従って各制御信号Ｎｏ．ｘＳＷを生成する。すなわち、電位コードが［００］、Ｈｉ−Ｚ指定コードが［０］のタイミングのとき、ロジック回路３００は、グランド信号Ｇｘがオン状態の制御信号Ｎｏ．ｘＳＷを生成する。電位コードが［０１］、Ｈｉ−Ｚ指定コードが［０］のタイミングでは、ロジック回路３００は、正電圧パルス信号ＰＶｘがオン状態の制御信号Ｎｏ．ｘＳＷを生成する。電位コードが［１０］、Ｈｉ−Ｚ指定コードが［０］のタイミングでは、ロジック回路３００は、負電圧パルス信号ＭＶｘがオン状態の制御信号Ｎｏ．ｘＳＷを生成する。電位コードが［１１］、Ｈｉ−Ｚ指定コードが［０］のタイミングでは、ロジック回路３００は、共通電圧信号ＬＶｘがオン状態の制御信号Ｎｏ．ｘＳＷを生成する。
【００５１】
また、電位コードに係らずＨｉ−Ｚ指定コードが［１］のタイミングでは、ロジック回路３００は、正電圧パルス信号ＰＶｘ、負電圧パルス信号ＭＶｘ、グランド信号Ｇｘ及び共通電圧信号ＬＶｘが全てオフ状態の制御信号Ｎｏ．ｘＳＷを生成する。つまり、Ｈｉ−Ｚ指定コードは、電位コードよりも優先度が高い。
【００５２】
かかる制御信号Ｎｏ．ｘＳＷにより、吐出当該ノズルに連通するインク室１５の電極４は、ハイインピーダンス状態に制御される。そこで説明の便宜上、正電圧パルス信号ＰＶｘ、負電圧パルス信号ＭＶｘ、グランド信号Ｇｘ及び共通電圧信号ＬＶｘが全てオフ状態の制御信号Ｎｏ．ｘＳＷを、ハイインピーダンス制御信号と称する。ここに、ロジック回路３００は、インク室１５の壁面に配設された電極４をハイインピーダンス状態とする制御手段として機能する。
【００５３】
図１４は、前記パターンジェネレータ４００のブロック構成図である。パターンジェネレータ４００は、レジスタ群とシーケンスコントローラ４２０とから構成される。レジスタ群は、吐出当該波形設定レジスタ４０１、吐出両隣波形設定レジスタ４０３、非吐出当該波形設定レジスタ４０５、非吐出両隣波形設定レジスタ４０７、補助当該波形設定レジスタ４０９及び補助両隣波形設定レジスタ４１１と、上記各波形設定レジスタ４０１，４０３，４０５，４０７，４０９及び４１１にそれぞれ対応して設けられたハイインピーダンス設定レジスタ（以下、Ｈｉ−Ｚ設定レジスタと略称する）４０２，４０４，４０６，４０８，４１０，４１２と、タイマ設定レジスタ４１３とを含む。
【００５４】
吐出当該波形設定レジスタ４０１には、前記吐出当該ノズルに連通するインク室１５の電極４に印加される駆動パルスの電圧波形を時系列で表わす電位コードが設定される。吐出両隣波形設定レジスタ４０３には、前記吐出両隣ノズルに連通するインク室１５の電極４に印加される駆動パルスの電圧波形を時系列で表わす電位コードが設定される。非吐出当該波形設定レジスタ４０５には、前記非吐出当該ノズルに連通するインク室１５の電極４に印加される駆動パルスの電圧波形を時系列で表わす電位コードが設定される。非吐出両隣波形設定レジスタ４０７には、前記非吐出両隣ノズルに連通するインク室１５の電極４に印加される駆動パルスの電圧波形を時系列で表わす電位コードが設定される。補助当該波形設定レジスタ４０９には、前記補助当該ノズルに連通するインク室１５の電極４に印加される駆動パルスの電圧波形を時系列で表わす電位コードが設定される。補助両隣波形設定レジスタ４１１には、前記補助両隣ノズルに連通するインク室１５の電極４に印加される駆動パルスの電圧波形を時系列で表わす電位コードが設定される。
【００５５】
各Ｈｉ−Ｚ設定レジスタ４０２，４０４，４０６，４０８，４１０，４１２には、対応する波形設定レジスタ４０１，４０３，４０５，４０７，４０９，４１１に設定される駆動パルス電圧パターンが印加される電極４をハイインピーダンス状態に制御するか否かを時系列で表わすＨｉ−Ｚ指定コードが設定される。
【００５６】
タイマ設定レジスタ４１３には、各波形設定レジスタ４０１〜４１２からコードを読み出すタイミングを示すタイマ値が設定される。
【００５７】
シーケンスコントローラ４２０は、タイマ設定レジスタ４１３に設定されたタイマ値に従い、吐出当該波形設定レジスタ４０１とＨｉ−Ｚ設定レジスタ４０２とから電位コード及びＨｉ−Ｚ指定コードを順次読み出す。そしてシーケンスコントローラ４２０は、読み出した２種のコードからＡＣＴ信号（吐出当該駆動パルス）を形成し、このＡＣＴ信号をロジック回路３００に出力する。
【００５８】
同様に、シーケンスコントローラ４２０は、吐出両隣波形設定レジスタ４０３とＨｉ−Ｚ設定レジスタ４０４とから読み出した２種のコードからＩＮＡ信号（吐出両隣駆動パルス）を形成し、このＩＮＡ信号をロジック回路３００に出力する。またシーケンスコントローラ４２０は、非吐出当該波形設定レジスタ４０５とＨｉ−Ｚ設定レジスタ４０６とから読み出した２種のコードからＮＥＧ信号（非吐出当該駆動パルス）を形成し、このＮＥＧ信号をロジック回路３００に出力する。またシーケンスコントローラ４２０は、非吐出両隣波形設定レジスタ４０７とＨｉ−Ｚ設定レジスタ４０８とから読み出した２種のコードからＮＥＧＩＮＡ信号（非吐出両隣駆動パルス）を形成し、このＮＥＧＩＮＡ信号をロジック回路３００に出力する。またシーケンスコントローラ４２０は、補助当該波形設定レジスタ４０９とＨｉ−Ｚ設定レジスタ４１０とから読み出した２種のコードからＢＳＴ信号（補助当該駆動パルス）を形成し、このＢＳＴ信号をロジック回路３００に出力する。またシーケンスコントローラ４２０は、補助両隣波形設定レジスタ４１１とＨｉ−Ｚ設定レジスタ４１２とから読み出した２種のコードからＢＳＴＩＮＡ信号（補助両隣駆動パルス）を形成し、このＢＳＴＩＮＡ信号をロジック回路３００に出力する。
【００５９】
図１５は、吐出当該波形設定レジスタ４０１、吐出両隣波形設定レジスタ４０３、補助当該波形設定レジスタ４０９及び補助両隣波形設定レジスタ４１１に設定される電位コードと、これらのレジスタにそれぞれ対応するＨｉ−Ｚ設定レジスタ４０２，４０４，４１０，４１２に設定されるＨｉ−Ｚ指定コードとの一例である。この例は、図８に示す駆動パルス電圧の印加パターンに対応している。
【００６０】
図１５において、時点ｔ０から時点ｔ１までの区間は、定常状態に相当する。時点ｔ１から時点ｔ４までの区間は、引き込み状態に相当する。時点ｔ４から時点ｔ５までの区間は、引き込み状態後の定常状態に相当する。時点ｔ５から時点ｔ７までの区間は、第１の圧縮状態に相当する。時点ｔ７から時点ｔ１０までの区間は、第２の圧縮状態に相当する。時点ｔ１０から時点ｔ１１までの区間は、圧縮状態後の定常状態に相当する。
【００６１】
区間ｔ０−ｔ１において、吐出当該波形設定レジスタ４０１の電位コードは“００”、Ｈｉ−Ｚ設定レジスタ４０２のＨｉ−Ｚ指定コードは“０”である。この電位コードとＨｉ−Ｚ指定コードは、ＡＣＴ信号としてロジック回路３００に出力される。
【００６２】
ロジック回路３００では、このＡＣＴ信号を基に、ノズルＮｏ．１及びノズルＮｏ．７の吐出当該ノズル８-1，８-7に対する制御信号Ｎｏ．１ＳＷ，Ｎｏ．７ＳＷが生成される。すなわち、電位コードが“００”、Ｈｉ−Ｚ指定コードが“０”なので、制御信号Ｎｏ．１ＳＷ，Ｎｏ．７ＳＷとしてグランド信号Ｇｘが生成されて、スイッチ回路２００に出力される。
【００６３】
スイッチ回路２００では、制御信号Ｎｏ．１ＳＷにより制御スイッチＳＷ１のグランド接点［Ｇ］がオンする。その結果、吐出当該ノズル８-1に連通するインク室１５-1の電極４の電位がグランド電圧ＶＳＳとなる。同様に、スイッチ回路２００では、制御信号Ｎｏ．７ＳＷにより制御スイッチＳＷ７のグランド接点［Ｇ］がオンする。その結果、吐出当該ノズル８-7に連通するインク室１５-7の電極４の電位がグランド電圧ＶＳＳとなる。
【００６４】
区間ｔ０−ｔ１において、吐出両隣波形設定レジスタ４０３の電位コードは“００”、Ｈｉ−Ｚ設定レジスタ４０４のＨｉ−Ｚ指定コードは“０”である。この電位コードとＨｉ−Ｚ指定コードは、ＩＮＡ信号としてロジック回路３００に出力される。
【００６５】
ロジック回路３００では、このＩＮＡ信号を基に、ノズルＮｏ．０，ノズルＮｏ．２，ノズルＮｏ．６及びノズルＮｏ．８の吐出両隣ノズル８-0，８-2，８-6，８-8に対する制御信号Ｎｏ．０ＳＷ、Ｎｏ．２ＳＷ、Ｎｏ．６ＳＷ、Ｎｏ．８ＳＷが形成される。すなわち、電位コードが“００”、Ｈｉ−Ｚ指定コードが“０”なので、制御信号Ｎｏ．０ＳＷ、Ｎｏ．２ＳＷ、Ｎｏ．６ＳＷ、Ｎｏ．８ＳＷとしてグランド信号Ｇｘが生成されて、スイッチ回路２００に出力される。
【００６６】
スイッチ回路２００では、制御信号Ｎｏ．０ＳＷ、Ｎｏ．２ＳＷ、Ｎｏ．６ＳＷ、Ｎｏ．８ＳＷにより制御スイッチＳＷ０、ＳＷ２、ＳＷ６、ＳＷ８のグランド接点［Ｇ］がそれぞれオンする。その結果、吐出両隣ノズル８-0，８-2，８-6，８-8に連通するインク室１５-0、１５-2，１５-6，１５-8の電極４の電位がグランド電圧ＶＳＳとなる。
【００６７】
区間ｔ０−ｔ１において、補助当該波形設定レジスタ４０９の電位コードは“００”、Ｈｉ−Ｚ設定レジスタ４１０のＨｉ−Ｚ指定コードは“０”である。この電位コードとＨｉ−Ｚ指定コードは、ＢＳＴ信号としてロジック回路３００に出力される。ロジック回路３００では、このＢＳＴ信号を基に、ノズルＮｏ．４の補助当該ノズル８-4に対する制御信号Ｎｏ．４ＳＷが形成される。すなわち、電位コードが“００”、Ｈｉ−Ｚ指定コードが“０”なので、制御信号Ｎｏ．４ＳＷとしてグランド信号Ｇｘが生成されて、スイッチ回路２００に出力される。
【００６８】
スイッチ回路２００では、制御信号Ｎｏ．４ＳＷにより制御スイッチＳＷ４のグランド接点［Ｇ］がオンする。その結果、補助当該ノズル８-4に連通するインク室１５-4の電極４の電位がグランド電圧ＶＳＳとなる。
【００６９】
区間ｔ０−ｔ１において、補助両隣波形設定レジスタ４１１の電位コードは“００”、Ｈｉ−Ｚ設定レジスタ４１２のＨｉ−Ｚ指定コードは“０”である。この電位コードとＨｉ−Ｚ指定コードは、ＢＳＴＩＮＡ信号としてロジック回路３００に出力される。ロジック回路３００では、このＢＳＴＩＮＡ信号を基に、ノズルＮｏ．３, ノズルＮｏ．５の補助両隣ノズル８-3，８-5に対する制御信号Ｎｏ．３ＳＷ、Ｎｏ．５ＳＷが形成される。すなわち、電位コードが“００”、Ｈｉ−Ｚ指定コードが“０”なので、制御信号Ｎｏ．３ＳＷ、Ｎｏ．５ＳＷとしてグランド信号Ｇｘが生成されて、スイッチ回路２００に出力される。
【００７０】
スイッチ回路２００では、制御信号Ｎｏ．３ＳＷ，Ｎｏ．５ＳＷにより制御スイッチＳＷ３，ＳＷ５のグランド接点［Ｇ］がそれぞれオンする。その結果、補助当該ノズル８-3，８-5に連通するインク室１５-3，１５-5の電極４の電位がグランド電圧ＶＳＳとなる。
【００７１】
かくして、各インク室１５-0〜１５-8の電極４の電位は、全てグランド電圧ＶＳＳとなる。したがって、各インク室１５-0〜１５-8を隔てる隔壁１６-01〜１６-78は変形しない。
【００７２】
区間ｔ１−ｔ２になると、吐出当該波形設定レジスタ４０１の電位コードが“１０”に変わる。すなわち、電位コードが“１０”、Ｈｉ−Ｚ指定コードが“０”なので、ロジック回路３００では、制御信号Ｎｏ．１ＳＷ，Ｎｏ．７ＳＷとして負電圧パルス信号ＭＶｘが生成されて、スイッチ回路２００に出力される。スイッチ回路２００では、制御信号Ｎｏ．１ＳＷ，Ｎｏ．７ＳＷにより制御スイッチＳＷ１，ＳＷ７の負電圧接点［−］がオンする。その結果、インク室１５-1，１５-7の電極４の電位が負電圧−ＶＡＡとなる。
【００７３】
また、区間ｔ１−ｔ２になると、補助当該波形設定レジスタ４０９に対応したＨｉ−Ｚ設定レジスタ４１０と、補助両隣波形設定レジスタ４１１に対応したＨｉ−Ｚ設定レジスタ４１２のＨｉ−Ｚ指定コードが、いずれも“１”に変わる。このためロジック回路３００では、制御信号Ｎｏ．３ＳＷ，Ｎｏ．４ＳＷ，Ｎｏ．５ＳＷとしてハイインピーダンス制御信号が生成されて、スイッチ回路２００に出力される。スイッチ回路２００では、ハイインピーダンス制御信号により制御スイッチＳＷ３，ＳＷ４，ＳＷ５がオフする。その結果、インク室１５-3、１５-4、１５-5の各電極４は、ハイインピーダンス状態となる。
【００７４】
区間ｔ２−ｔ３になると、吐出両隣波形設定レジスタ４０３、補助当該波形設定レジスタ４０９及び補助両隣波形設定レジスタ４１１の各電位コードが、いずれも“０１”に変わる。しかし、Ｈｉ−Ｚ設定レジスタ４１０及び４１２のＨｉ−Ｚ指定コードは“１”のままである。このためロジック回路３００では、制御信号Ｎｏ．０ＳＷ，Ｎｏ．２ＳＷ，Ｎｏ．６ＳＷ，Ｎｏ．８ＳＷとして正電圧パルス信号ＰＶｘが生成されて、スイッチ回路２００に出力される。制御信号Ｎｏ．３ＳＷ，Ｎｏ．４ＳＷ，Ｎｏ．５ＳＷは、ハイインピーダンス制御信号のままである。スイッチ回路２００では、制御信号Ｎｏ．０ＳＷ，Ｎｏ．２ＳＷ，Ｎｏ．６ＳＷ，Ｎｏ．８ＳＷにより制御スイッチＳＷ０，ＳＷ２，ＳＷ６，ＳＷ８の正電圧接点［＋］がオンする。その結果、インク室１５-0、１５-2、１５-6、１５-8の電極４の電位が正電圧＋ＶＡＡとなる。インク室１５-3、１５-4、１５-5の各電極４は、ハイインピーダンス状態が継続される。
【００７５】
かくして、吐出当該ノズルＮｏ１，Ｎｏ．７に連通するインク室１５-1，１５-7の容積を拡大するように、インク室１５-0とインク室１５-1との間及びインク室１５-1とインク室１５-2との間の隔壁１６-01，１６-12と、インク室１５-6とインク室１５-7との間及びインク室１５-7とインク室１５-8との間の隔壁１６-67，１６-78とが変形する。一方、インク室１５-3，１５-4，１５-5の各電極４はハイインピーダンス状態であり、その両側のインク室１５-2，１５-6の電極４の電位はいずれも正電圧＋ＶＡＡである。このため、インク室１５-3，１５-4，１５-5の各電極４には正電圧＋ＶＡＡが誘導される。したがって、インク室１５-2からインク室１５-6までの室間を隔てる隔壁１６-23，１６-34，１６-45，１６-56に電位差は生じないので、隔壁１６-23，１６-34，１６-45，１６-56は変形しない。
【００７６】
区間ｔ３−ｔ４になると、吐出当該波形設定レジスタ４０１の電位コードが“００”に変わる。このためロジック回路３００では、制御信号Ｎｏ．１ＳＷ，Ｎｏ．７ＳＷとしてグランド信号Ｇｘが生成されて、スイッチ回路２００に出力される。スイッチ回路２００では、制御信号Ｎｏ．１ＳＷ，Ｎｏ．７ＳＷにより制御スイッチＳＷ１，ＳＷ７のグランド接点［Ｇ］がオンする。その結果、インク室１５-1，１５-7の電極４の電位がグランド電圧ＶＳＳとなる。
【００７７】
区間ｔ４−ｔ５になると、吐出両隣波形設定レジスタ４０３、補助当該波形設定レジスタ４０９及び補助両隣波形設定レジスタ４１１の各電位コードが、いずれも“００”に変わる。しかし、Ｈｉ−Ｚ設定レジスタ４１０及び４１２のＨｉ−Ｚ指定コードは“１”のままである。このためロジック回路３００では、制御信号Ｎｏ．０ＳＷ，Ｎｏ．２ＳＷ，Ｎｏ．６ＳＷ，Ｎｏ．８ＳＷとして、グラント信号Ｇｘが生成されて、スイッチ回路２００に出力される。制御信号Ｎｏ．３ＳＷ，Ｎｏ．４ＳＷ，Ｎｏ．５ＳＷは、ハイインピーダンス制御信号のままである。スイッチ回路２００では、制御信号Ｎｏ．０ＳＷ，Ｎｏ．２ＳＷ，Ｎｏ．６ＳＷ，Ｎｏ．８ＳＷにより制御スイッチＳＷ０，ＳＷ２，ＳＷ６，ＳＷ８のグランド接点［Ｇ］がオンする。その結果、インク室１５-0、１５-2、１５-6、１５-8の電極４の電位がグランド電圧ＶＳＳとなる。インク室１５-3、１５-4、１５-5の各電極４は、ハイインピーダンス状態が継続される。
【００７８】
かくして、インク室１５-0とインク室１５-1との間及びインク室１５-1とインク室１５-2との間の隔壁１６-01，１６-12と、インク室１５-6とインク室１５-7との間及びインク室１５-7とインク室１５-8との間の隔壁１６-67，１６-78とは定常状態に戻る。このとき、インク室１５-3，１５-4，１５-5の各電極４はハイインピーダンス状態であり、その両側のインク室１５-2，１５-6の電極４の電位はグランド電圧ＶＳＳとなる。このため、インク室１５-3，１５-4，１５-5の各電極４の電位もグランド電圧ＶＳＳとなる。したがって、隔壁１６-23，１６-34，１６-45，１６-56は変形しない。
【００７９】
区間ｔ５−ｔ６になると、吐出両隣波形設定レジスタ４０３、補助当該波形設定レジスタ４０９及び補助両隣波形設定レジスタ４１１の各電位コードとが、いずれも“１０”に変わる。しかし、Ｈｉ−Ｚ設定レジスタ４１０及び４１２のＨｉ−Ｚ指定コードは“１”のままである。このためロジック回路３００では、制御信号Ｎｏ．０ＳＷ，Ｎｏ．２ＳＷ，Ｎｏ．６ＳＷ，Ｎｏ．８ＳＷとして、負電圧パルス信号ＭＶｘが生成されて、スイッチ回路２００に出力される。制御信号Ｎｏ．３ＳＷ，Ｎｏ．４ＳＷ，Ｎｏ．５ＳＷは、ハイインピーダンス制御信号のままである。スイッチ回路２００では、制御信号Ｎｏ．０ＳＷ，Ｎｏ．２ＳＷ，Ｎｏ．８ＳＷ，Ｎｏ．８ＳＷにより制御スイッチＳＷ０，ＳＷ２，ＳＷ６，ＳＷ８の負電圧接点［−］がオンする。その結果、インク室１５-0、１５-2、１５-6、１５-8の電極４の電位が負電圧−ＶＡＡとなる。インク室１５-3、１５-4、１５-5の各電極４は、ハイインピーダンス状態が継続される。
【００８０】
区間ｔ６−ｔ７になると、吐出当該波形設定レジスタ４０１の電位コードが“０１”に変わる。このためロジック回路３００では、制御信号Ｎｏ．１ＳＷ，Ｎｏ．７ＳＷとして正電圧パルス信号ＰＶｘが生成されて、スイッチ回路２００に出力される。スイッチ回路２００では、制御信号Ｎｏ．１ＳＷ，Ｎｏ．７ＳＷにより制御スイッチＳＷ１，ＳＷ７の正電圧接点［＋］がオンする。その結果、インク室１５-1，１５-7の電極４の電位が正電圧−ＶＡＡとなる。
【００８１】
かくして、吐出当該ノズルＮｏ１，Ｎｏ．７に連通するインク室１５-1，１５-7の容積を縮小するように、インク室１５-0とインク室１５-1との間及びインク室１５-1とインク室１５-2との間の隔壁１６-01，１６-12と、インク室１５-6とインク室１５-7との間及びインク室１５-7とインク室１５-8との間の隔壁１６-67，１６-78とが変形する。このとき、インク室１５-3，１５-4，１５-5の各電極４はハイインピーダンス状態であり、その両側のインク室１５-2，１５-6の電極４の電位はいずれも負電圧−ＶＡＡである。このため、インク室１５-3，１５-4，１５-5の各電極４には負電圧−ＶＡＡが誘導される。したがって、隔壁１６-23，１６-34，１６-45，１６-56は変形しない。
【００８２】
区間ｔ７−ｔ８になると、補助当該波形設定レジスタ４０９の電位コードが“００”に変わる。また、補助当該波形設定レジスタ４０９に対応したＨｉ−Ｚ設定レジスタ４１０及び補助両隣波形設定レジスタ４１１に対応したＨｉ−Ｚ設定レジスタ４１２のＨｉ−Ｚ指定コードが、いずれも“０”となる。このためロジック回路３００では、制御信号Ｎｏ．４ＳＷとしてグランド信号Ｇｘが生成されて、スイッチ回路２００に出力される。またロジック回路３００では、制御信号Ｎｏ．３ＳＷ，Ｎｏ．５ＳＷとして負電圧パルス信号ＭＶｘが生成されて、スイッチ回路２００に出力される。スイッチ回路２００では、制御信号Ｎｏ．４ＳＷにより制御スイッチＳＷ４のグランド接点［Ｇ］がオンする。また、スイッチ回路２００では、制御信号Ｎｏ．３ＳＷ，Ｎｏ．５ＳＷにより制御スイッチＳＷ３，ＳＷ５の負電圧接点［−］がそれぞれオンする。その結果、インク室１５-4の電極４の電位がグランド電圧ＶＳＳとなる。また、インク室１５-3，１５-5の電極４の電位が負電圧［−］となる。
【００８３】
区間ｔ８−ｔ９になると、補助当該波形設定レジスタ４０９の電位コードが“０１”に変わる。このためロジック回路３００では、制御信号Ｎｏ．４ＳＷとして正電圧パルス信号ＰＶｘが生成されて、スイッチ回路２００に出力される。スイッチ回路２００では、制御信号Ｎｏ．４ＳＷにより制御スイッチＳＷ４の正電圧接点［＋］がオンする。その結果、インク室１５-4の電極４の電位が正電圧＋ＶＡＡとなる。
【００８４】
かくして、補助当該ノズルＮｏ．４に連通するインク室１５-4の容積を縮小するように、インク室１５-3とインク室１５-4との間及びインク室１５-4とインク室１５-5との間の隔壁１６-34，１６-45が変形する。この変形により、インク室１５-1及びインク室１５-7の圧力振動が吸収される。
【００８５】
区間ｔ９−ｔ１０になると、吐出両隣波形設定レジスタ４０３と補助両隣波形設定レジスタ４１１の電位コードが“００”に変わる。このためロジック回路３００では、制御信号Ｎｏ．０ＳＷ，Ｎｏ．２ＳＷ，Ｎｏ３．ＳＷ，Ｎｏ．５ＳＷ，Ｎｏ．６ＳＷ，Ｎｏ．８ＳＷとしてグランド信号Ｇｘが生成されて、スイッチ回路２００に出力される。スイッチ回路２００では、制御信号Ｎｏ．０ＳＷ，Ｎｏ．２ＳＷ，Ｎｏ３．ＳＷ，Ｎｏ．５ＳＷ，Ｎｏ．６ＳＷ，Ｎｏ．８ＳＷにより制御スイッチＳＷ０，ＳＷ２，ＳＷ３，ＳＷ５，ＳＷ６，ＳＷ８のグランド接点［Ｇ］がオンする。その結果、インク室１５-0、１５-2、１５-3、１５-5、１５-6、１５-8の電極４の電位がグランド電圧ＶＳＳとなる。
【００８６】
区間ｔ１０−ｔ１１になると、吐出当該波形設定レジスタ４０１と補助当該波形設定レジスタ４０９の電位コードが、いずれも“００”に変わる。このためロジック回路３００では、制御信号Ｎｏ．１ＳＷ，Ｎｏ．４ＳＷ，Ｎｏ．７ＳＷとしてグランド信号Ｇｘが生成されて、スイッチ回路２００に出力される。スイッチ回路２００では、制御信号Ｎｏ．１ＳＷ，Ｎｏ．４ＳＷ，Ｎｏ．７ＳＷにより制御スイッチＳＷ１，ＳＷ４，ＳＷ７のグランド接点［Ｇ］がオンする。その結果、インク室１５-1、１５-4、１５-7の電極４の電位がグランド電圧ＶＳＳとなる。
【００８７】
かくして、各インク室１５-0〜１５-8の電極４の電位は、全てグランド電圧ＶＳＳとなる。すなわちヘッド１０は、定常状態に戻る。
【００８８】
上述した区間ｔ０〜ｔ１１において、吐出両隣ノズル８-0に連通するインク室１５-0の電極に印加される駆動パルス電圧は、図１６の波形ＩＮＡ０となる。吐出当該ノズル８-1に連通するインク室１５-1の電極に印加される駆動パルス電圧は、図１６の波形ＡＣＴ１となる。吐出両隣ノズル８-2に連通するインク室１５-2の電極に印加される駆動パルス電圧は、図１６の波形ＩＮＡ２となる。その結果、吐出当該ノズル８-1に連通するインク室１５-1に作用する駆動パルス電圧は、図１６の波形Ａ１となる。
【００８９】
また、区間ｔ０〜ｔ１１において、吐出両隣ノズル８-2に連通するインク室１５-2の電極に印加される駆動パルス電圧は、図１７の波形ＩＮＡ２となる。補助両隣ノズル８-3に連通するインク室１５-3の電極に印加される駆動パルス電圧は、図１７の波形ＢＳＴＩＮＡ３となる。補助当該ノズル８-4に連通するインク室１５-4の電極に印加される駆動パルス電圧は、図１７の波形ＢＳＴ４となる。補助両隣ノズル８-5に連通するインク室１５-5の電極に印加される駆動パルス電圧は、図１７の波形ＢＳＴＩＮＡ５となる。吐出両隣ノズル８-6に連通するインク室１５-6の電極に印加される駆動パルス電圧は、図１７の波形ＩＮＡ６となる。なお、図１７において、破線は、電極４がハイインピーダンス状態に制御されていることを示している。
【００９０】
図１７に示すように、区間ｔ１〜ｔ７では、インク室１５-2とインク室１５-6の電極４にはそれぞれ同電位の電圧が同時に印加される。一方、インク室１５-3，１５-4，１５-5の電極４は、区間ｔ１〜ｔ７の間、ハイインピーダンス状態に制御されている。このため、これらのインク室１５-3，１５-4，１５-5の電極４はその両端のインク室１５-2，１５-6に印加される電圧に誘導されて同様に変化する。その結果、補助当該ノズル８-4に連通するインク室１５-4に作用する駆動パルス電圧は、図１７の波形Ｂ４となる。
【００９１】
この間、インク室１５-3からインク室１５-5までの電極４に駆動パルス電圧は印加されない。このため、インク室１５-3からインク室１５-5において、浮遊容量が充電または放電されることはない。したがって、並設された複数のインク室１５-3〜１５-5の電極４に同電位の電圧が同時に印加されたことで生じるノイズ電流や無駄な消費電力を確実に排除できる。
【００９２】
[第２の実施形態]
第１の実施形態では、浮遊容量に起因するノイズ電流や無駄な消費電力を削減するために、図７を用いて説明されるコンデンサの物理的性質を利用した。第２の実施形態では、図１８を用いて説明されるコンデンサの物理的性質を利用して浮遊容量に起因するノイズ電流や無駄な消費電力を削減する。なお、第１の実施形態と共通する部分には同一符号を付し、詳しい説明は省略する。
【００９３】
図１８は、ヘッド１００の等価回路であるコンデンサＣ１，Ｃ２の直列回路を示している。なお、同図において符号Ｃｆは、浮遊容量を表わしている。この直列回路において、コンデンサＣ１及びコンデンサＣ２にそれぞれ電位差を与えた後、コンデンサＣ１及びコンデンサＣ２の両端をハイインピーダンス状態にした場合、コンデンサＣ１，Ｃ２はそれぞれ直前の電位差を保持する。すなわち、コンデンサＣ１，Ｃ２は、電位差が与えられた状態でハイインピーダンス状態になると、直前の電位差を保持するという物理的特性を有する。
【００９４】
そこで駆動装置は、並設されたインク室１５-(i-1)、１５-iを隔てる隔壁に１６-(i-1)iに電位差を与えた状態で、この隔壁１６-(i-1)iを挟んで配設された電極４をハイインピーダンス状態にする。そうした場合も、隔壁１６-(i-1)iの電位差は保持されるので、インク吐出動作に支障を来たすことはない。電極４をハイインピーダンス状態にすることで、電極４に駆動パルス電圧を印加するのを一時的に止めることができる。したがって、浮遊容量に起因するノイズ電流や無駄な消費電力を抑制することができる。
【００９５】
第２の実施形態は、パターンジェネレータ４００のレジスタ群に設定されるコードを変更するだけで、第１の実施形態の駆動装置を適用することが可能である。
【００９６】
図１９は、第２の実施形態において、吐出当該波形設定レジスタ４０１及び吐出両隣波形設定レジスタ４０３に設定される電位コードと、これらのレジスタにそれぞれ対応するＨｉ−Ｚ設定レジスタ４０２，４０４に設定されるＨｉ−Ｚ指定コードとの一例である。この例は、図５の駆動パルス電圧パターンに対応している。
【００９７】
図１９において、時点ｔ０から時点ｔ１までの区間は、定常状態に相当する。時点ｔ１から時点ｔ６までの区間は、引き込み状態に相当する。時点ｔ６から時点ｔ７までの区間は、引き込み状態後の定常状態に相当する。時点ｔ７から時点ｔ１２までの区間は、圧縮状態に相当する。時点ｔ１２から時点ｔ１３までの区間は、圧縮状態後の定常状態に相当する。
【００９８】
区間ｔ０−ｔ１において、吐出当該波形設定レジスタ４０１の電位コードは“００”、Ｈｉ−Ｚ設定レジスタ４０２のＨｉ−Ｚ指定コードは“０”である。また、吐出両隣波形設定レジスタ４０３の電位コードも“００”、Ｈｉ−Ｚ設定レジスタ４０４のＨｉ−Ｚ指定コードも“０”である。このためロジック回路３００では、吐出当該ノズル８-1及び吐出両隣ノズル８-0、８-2に対する制御信号Ｎｏ．１ＳＷ，Ｎｏ．０ＳＷ，Ｎｏ．２ＳＷとしてグランド信号Ｇｘが生成されて、スイッチ回路２００に出力される。スイッチ回路２００では、制御信号Ｎｏ．１ＳＷ，Ｎｏ．０ＳＷ，Ｎｏ．２ＳＷにより制御スイッチＳＷ１、ＳＷ０、ＳＷ２のグランド接点［Ｇ］がいずれもオンする。その結果、吐出当該ノズル８-1に連通するインク室１５-1の電極４及び吐出両隣ノズル８-0，８-2に連通するインク室１５-0，１５-2の電極４の電位がいずれもグランド電圧ＶＳＳとなる。
【００９９】
区間ｔ１−ｔ２になると、吐出当該波形設定レジスタ４０１の電位コードが“１０”に変わる。このためロジック回路３００では、制御信号Ｎｏ．１ＳＷとして負電圧パルス信号ＭＶｘが生成されて、スイッチ回路２００に出力される。スイッチ回路２００では、制御信号Ｎｏ．１ＳＷにより制御スイッチＳＷ１の負電圧接点［−］がオンする。その結果、インク室１５-1の電極４の電位が負電圧−ＶＡＡとなる。
【０１００】
区間ｔ２−ｔ３になると、吐出両隣波形設定レジスタ４０３の電位コードが “０１”に変わる。このためロジック回路３００では、制御信号Ｎｏ．０ＳＷ，Ｎｏ．２ＳＷとして正電圧パルス信号ＰＶｘが生成されて、スイッチ回路２００に出力される。スイッチ回路２００では、制御信号Ｎｏ．０ＳＷ，Ｎｏ．２ＳＷにより制御スイッチＳＷ０，ＳＷ２の正電圧接点［＋］がオンする。その結果、インク室１５-0、１５-2の電極４の電位が正電圧＋ＶＡＡとなる。
【０１０１】
かくして、インク室１５-0とインク室１５-1との間及びインク室１５-1とインク室１５-2との間の隔壁１６-01，１６-12に電位差が生じる。この電位差により、吐出当該ノズルＮｏ１に連通するインク室１５-1の容積を拡大するように、隔壁１６-01，１６-12が変形する。
【０１０２】
区間ｔ３−ｔ４になると、吐出当該波形設定レジスタ４０１に対応したＨｉ−Ｚ設定レジスタ４０２と、吐出両隣波形設定レジスタ４０３に対応したＨｉ−Ｚ設定レジスタ４０４のＨｉ−Ｚ指定コードが、いずれも“１”に変わる。このためロジック回路３００では、制御信号Ｎｏ．０ＳＷ，Ｎｏ．１ＳＷ，Ｎｏ．２ＳＷとしてハイインピーダンス制御信号が生成されて、スイッチ回路２００に出力される。スイッチ回路２００では、ハイインピーダンス制御信号により制御スイッチＳＷ０，ＳＷ１，ＳＷ２がオフする。その結果、インク室１５-0、１５-1、１５-2の各電極４は、ハイインピーダンス状態となる。
【０１０３】
しかしながら、インク室１５-0、１５-1、１５-2の各電極４は、電位差が与えられた状態でハイインピーダンス状態となったので、その直前の電位差が保持される。すなわち、インク室１５-1の電極４は負電圧−ＶＡＡを保持し、インク室１５-0、１５-2の電極は正電圧＋ＶＡＡを保持する。
【０１０４】
区間ｔ４−ｔ５になると、上記Ｈｉ−Ｚ設定レジスタ４０２とＨｉ−Ｚ設定レジスタ４０４のＨｉ−Ｚ指定コードがいずれも“０”に変わる。このためロジック回路３００では、制御信号Ｎｏ．１ＳＷとして負電圧パルス信号ＭＶｘが生成されて、スイッチ回路２００に出力される。また、ロジック回路３００では、制御信号Ｎｏ．０ＳＷ，Ｎｏ．２ＳＷとして正電圧パルス信号ＰＶｘが生成されて、スイッチ回路２００に出力される。スイッチ回路２００では、制御信号Ｎｏ．１ＳＷにより制御スイッチＳＷ１の負電圧接点［−］がオンする。ただし、インク室１５-1の電極４は負電圧−ＶＡＡを保持しているので、電位に変化はない。またスイッチ回路２００では、制御信号Ｎｏ．０ＳＷ，Ｎｏ．２ＳＷにより制御スイッチＳＷ０，ＳＷ２の正電圧接点［＋］もオンする。ただし、インク室１５-0、１５-2の電極４は正電圧＋ＶＡＡを保持しているので、やはり電位に変化はない。
【０１０５】
区間ｔ５−ｔ６になると、吐出当該波形設定レジスタ４０１の電位コードが“００”に変わる。このためロジック回路３００では、制御信号Ｎｏ．１ＳＷとしてグランド信号Ｇｘが生成されて、スイッチ回路２００に出力される。スイッチ回路２００では、制御信号Ｎｏ．１ＳＷにより制御スイッチＳＷ１のグランド接点［Ｇ］がオンする。その結果、インク室１５-1の電極４の電位がグランド電圧ＶＳＳとなる。
【０１０６】
区間ｔ６−ｔ７になると、吐出両隣波形設定レジスタ４０３の電位コードが “００”に変わる。このためロジック回路３００では、制御信号Ｎｏ．０ＳＷ，Ｎｏ．２ＳＷとしてグラント信号Ｇｘが生成されて、スイッチ回路２００に出力される。スイッチ回路２００では、制御信号Ｎｏ．０ＳＷ，Ｎｏ．２ＳＷにより制御スイッチＳＷ０，ＳＷ２のグランド接点［Ｇ］がオンする。その結果、インク室１５-0、１５-2の電極４の電位がグランド電圧ＶＳＳとなる。
【０１０７】
かくして、インク室１５-0とインク室１５-1との間及びインク室１５-1とインク室１５-2との間の隔壁１６-01，１６-12に電位差は生じない。すなわちヘッド１０は、定常状態に戻る。
【０１０８】
区間ｔ７−ｔ８になると、吐出両隣波形設定レジスタ４０３の電位コードとが “１０”に変わる。このためロジック回路３００では、制御信号Ｎｏ．０ＳＷ，Ｎｏ．２ＳＷとして負電圧パルス信号ＭＶｘが生成されて、スイッチ回路２００に出力される。スイッチ回路２００では、制御信号Ｎｏ．０ＳＷ，Ｎｏ．２ＳＷにより制御スイッチＳＷ０，ＳＷ２の負電圧接点［−］がオンする。その結果、インク室１５-0、１５-2の電極４の電位が負電圧−ＶＡＡとなる。
【０１０９】
区間ｔ８−ｔ９になると、吐出当該波形設定レジスタ４０１の電位コードが“０１”に変わる。このためロジック回路３００では、制御信号Ｎｏ．１ＳＷとして正電圧パルス信号ＰＶｘが生成されて、スイッチ回路２００に出力される。スイッチ回路２００では、制御信号Ｎｏ．１ＳＷにより制御スイッチＳＷ１の正電圧接点［＋］がオンする。その結果、インク室１５-1の電極４の電位が正電圧＋ＶＡＡとなる。
【０１１０】
かくして、インク室１５-0とインク室１５-1との間及びインク室１５-1とインク室１５-2との間の隔壁１６-01，１６-12に電位差が生じる。その結果、吐出当該ノズルＮｏ１に連通するインク室１５-1の容積を縮小するように、隔壁１６-01，１６-12が変形する。
【０１１１】
区間ｔ９−ｔ１０になると、吐出当該波形設定レジスタ４０１に対応したＨｉ−Ｚ設定レジスタ４０２と、吐出両隣波形設定レジスタ４０３に対応したＨｉ−Ｚ設定レジスタ４０４のＨｉ−Ｚ指定コードが、いずれも“１”に変わる。このためロジック回路３００では、制御信号Ｎｏ．０ＳＷ，Ｎｏ．１ＳＷ，Ｎｏ．２ＳＷとしてハイインピーダンス制御信号が生成されて、スイッチ回路２００に出力される。スイッチ回路２００では、ハイインピーダンス制御信号により制御スイッチＳＷ０，ＳＷ１，ＳＷ２がオフする。その結果、インク室１５-0、１５-1、１５-2の各電極４は、ハイインピーダンス状態となる。
【０１１２】
しかしながら、インク室１５-0、１５-1、１５-2の各電極４は、電位差が与えられた状態でハイインピーダンス状態となったので、その直前の電位差が保持される。すなわち、インク室１５-1の電極４は正電圧＋ＶＡＡを保持し、インク室１５-0、１５-2の電極は負電圧−ＶＡＡを保持する。
【０１１３】
区間ｔ１０−ｔ１１になると、上記Ｈｉ−Ｚ設定レジスタ４０２とＨｉ−Ｚ設定レジスタ４０４のＨｉ−Ｚ指定コードが、いずれも“０”に変わる。このためロジック回路３００では、制御信号Ｎｏ．１ＳＷとして正電圧パルス信号ＰＶｘが生成されて、スイッチ回路２００に出力される。また、ロジック回路３００では、制御信号Ｎｏ．０ＳＷ，Ｎｏ．２ＳＷとして負電圧パルス信号ＭＶｘが生成されて、スイッチ回路２００に出力される。スイッチ回路２００では、制御信号Ｎｏ．１ＳＷにより制御スイッチＳＷ１の正電圧接点［＋］がオンする。ただし、インク室１５-1の電極４は、正電圧＋ＶＡＡを保持しているので、電位に変化はない。またスイッチ回路２００では、制御信号Ｎｏ．０ＳＷ，Ｎｏ．２ＳＷにより制御スイッチＳＷ０，ＳＷ２の負電圧接点［−］もオンする。ただし、インク室１５-0、１５-2の電極４は、負電圧−ＶＡＡを保持しているので、やはり電位に変化はない。
【０１１４】
区間ｔ１１−ｔ１２になると、吐出両隣波形設定レジスタ４０３の電位コードが “００”に変わる。このためロジック回路３００では、制御信号Ｎｏ．０ＳＷ，Ｎｏ．２ＳＷとしてグラント信号Ｇｘが生成されて、スイッチ回路２００に出力される。スイッチ回路２００では、制御信号Ｎｏ．０ＳＷ，Ｎｏ．２ＳＷにより制御スイッチＳＷ０，ＳＷ２のグランド接点［Ｇ］がオンする。その結果、インク室１５-0、１５-2の電極４の電位がグランド電圧ＶＳＳとなる。
【０１１５】
区間ｔ１２−ｔ１３になると、吐出当該波形設定レジスタ４０１の電位コードが“００”に変わる。このためロジック回路３００では、制御信号Ｎｏ．１ＳＷとしてグランド信号Ｇｘが生成されて、スイッチ回路２００に出力される。スイッチ回路２００では、制御信号Ｎｏ．１ＳＷにより制御スイッチＳＷ１のグランド接点［Ｇ］がオンする。その結果、インク室１５-1の電極４の電位がグランド電圧ＶＳＳとなる。
【０１１６】
かくして、インク室１５-0とインク室１５-1との間及びインク室１５-1とインク室１５-2との間の隔壁１６-01，１６-12に電位差は生じない。すなわちヘッド１０は、定常状態に戻る。
【０１１７】
上述した区間ｔ０〜ｔ１３において、吐出両隣ノズル８-0に連通するインク室１５-0の電極に印加される駆動パルス電圧は、図２０の波形ＩＮＡ０となる。吐出当該ノズル８-1に連通するインク室１５-1の電極に印加される駆動パルス電圧は、図２０の波形ＡＣＴ１となる。吐出両隣ノズル８-2に連通するインク室１５-2の電極に印加される駆動パルス電圧は、図２０の波形ＩＮＡ２となる。その結果、吐出当該ノズル８-1に連通するインク室１５-1に作用する駆動パルス電圧は、図２０の波形Ｃ１となる。なお、図２０において、破線は、電極４がハイインピーダンス状態に制御されていることを示している。
【０１１８】
図２０に示すように、区間ｔ３−ｔ４では、インク室１５-0とインク室１５-1とを隔てる隔壁１６-01の両側に配設された電極４と、インク室１５-1とインク室１５-2とを隔てる隔壁１６-12の両側に配設された電極４とがいずれもハイインピーダンス状態になる。このとき、電極４は直前の電位差を保持する。すなわちインク室１５-0とインク室１５-2との電極４は正電圧＋ＶＡＡを保持し、インク室１５-1の電極４は負電圧−ＶＡＡを保持する。したがって、隔壁１６-01及び隔壁１６-12は、インク室１５-1の容積を拡張する方向に変形した状態を維持する。
【０１１９】
同様に、区間ｔ９−ｔ１０でも、隔壁１６-01の両側に配設された電極４と、隔壁１６-12の両側に配設された電極４とがいずれもハイインピーダンス状態になる。このとき、電極４は直前の電位差を保持する。すなわちインク室１５-0とインク室１５-2との電極４は負電圧−ＶＡＡを保持し、インク室１５-1の電極４は正電圧＋ＶＡＡを保持する。したがって、隔壁１６-01及び隔壁１６-12は、インク室１５-1の容積を収縮する方向に変形した状態を維持する。
【０１２０】
このように、電極４を一時的にハイインピーダンス状態としても、インク吐出動作に影響を及ぼすことはない。ハイインピーダンス状態の電極４には、駆動パルス電圧が印加されないので、電極４をハイインピーダンス状態としている間は、インク室１５-3からインク室１５-5において、浮遊容量が充電または放電されることはない。したがって、本実施形態においても、並設された複数のインク室１５-3〜１５-5の電極４に同電位の電圧が同時に印加されたことで生じるノイズ電流や無駄な消費電力を確実に排除できる。
【０１２１】
［第３の実施形態］
第３の実施形態について、図２１を用いて説明する。  
図２１において、信号波形ＡＣＴは、吐出当該ノズルに連通するインク室１５の電極に印加される駆動パルスの一例である。信号波形ＩＮＡは、吐出両隣ノズルに連通するインク室１５の電極に印加される駆動パルスの一例である。また、この例に対応した吐出当該波形設定レジスタ４０１及び吐出両隣波形設定レジスタ４０３にそれぞれ設定される電位コードと、吐出当該波形設定レジスタ４０１に対応したＨｉ−Ｚ設定レジスタ４０２に設定されるＨｉ−Ｚ指定コードも、図２１に示す。
【０１２２】
図２１に示すように、信号波形ＡＣＴと信号波形ＩＮＡとは、時点ｔ２、時点ｔ４において、同時にスイッチング動作する。そこで本実施形態では、同時にスイッチング動作する時点ｔ２，ｔ４の直前の時点ｔ１，ｔ３に、吐出当該ノズルに連通するインク室１５の電極４がハイインピーダンス状態となるように、Ｈｉ−Ｚ指定コードを設定する。
【０１２３】
そうすることにより、吐出当該ノズルに連通するインク室１５の電極４は、吐出両隣ノズルと同時にスイッチング動作する直前にハイインピーダンス状態となる。ハイインピーダンス状態になっても、電極４は直前の電位を保持しているので、インク吐出動作に支障を来たさない。
【０１２４】
このように、同時にスイッチング動作する直前に吐出当該ノズルに連通するインク室１５の電極４をハイインピーダンス状態にすることにより、同時スイッチング動作によって作用するピーク電流のノイズを減少させることができる。
【０１２５】
なお、前記第３の実施形態では、同時にスイッチング動作する直前に吐出当該ノズルに連通するインク室１５の電極４をハイインピーダンス状態にしたが、吐出両隣ノズルに連通するインク室１５の電極４をハイインピーダンス状態にしても、同様の作用効果を奏し得る。
【０１２６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２７】
１００…ライン型インクジェットヘッド、２００…スイッチ回路、３００…ロジック回路、４００…パターンジェネレータ、５００…真理値表。
【図１】
2014113783.tif 000003
【図２】
2014113783.tif 000004
【図３】
2014113783.tif 000005
【図４】
2014113783.tif 000006
【図５】
2014113783.tif 000007
【図６】
2014113783.tif 000008
【図７】
2014113783.tif 000009
【図８】
2014113783.tif 000010
【図９】
2014113783.tif 000011
【図１０】
2014113783.tif 000012
【図１１】
2014113783.tif 000013
【図１２】
2014113783.tif 000014
【図１３】
2014113783.tif 000015
【図１４】
2014113783.tif 000016
【図１５】
2014113783.tif 000017
【図１６】
2014113783.tif 000018
【図１７】
2014113783.tif 000019
【図１８】
2014113783.tif 000020
【図１９】
2014113783.tif 000021
【図２０】
2014113783.tif 000022
【図２１】
2014113783.tif 000023